(57)【特許請求の範囲】
【請求項１】
一対の基板を有する表示装置を備え、
前記表示装置における内側表示面と外側表示面との両側から視認可能な電子機器であって、
前記表示装置の前記外側表示面側には、回動可能に配置された光吸収部材が備えられ、前記内側表示面から視認する際には、前記光吸収部材は前記表示装置の前記外側表示面側に近接して配置し、前記内側表示面から入射した光の一部が、前記表示装置を透過して、前記光吸収部材に吸収され、黒色の表示が行われるように構成される電子機器。
【請求項２】
前記光吸収部材は、前記表示装置の表示面を防護するための防護蓋または防護蓋に配置される部材であることを特徴とする請求項１に記載の電子機器。
【請求項３】
前記表示装置は、前記一対の基板間に液晶を挟持してなる液晶素子と、
前記液晶素子の前記内側表示面側と前記外側表示面側となる両側に、一対の光学フィルタを配置し、さらに前記一対の光学フィルタの外側に一対の吸収型偏光板とを配置して構成し、
前記光学フィルタは、透過容易軸と平行な振動面は透過し、直交する振動面は反射するシートであり、
前記吸収型偏光板は、透過容易軸と平行な振動面は透過し、直交する振動面は吸収するシートであり、
前記内側表示面から視認する際に、前記内側表示面から入射する光の一部は、前記外側表示面側に配置された前記光学フィルタで反射し視認側に戻り、白色を表示し、その他の光は、前記表示装置を透過して、前記光吸収部材に吸収され、黒色の表示が行われることを特徴とする請求項１に記載の電子機器。
【請求項４】
前記光吸収部材は黒色のフィルムまたは吸収型偏光板であることを特徴とする請求項１に記載の電子機器。
【請求項５】
前記内側表示面側に配置された前記光学フィルタの透過容易軸と前記吸収型偏光板の透過容易軸との方向を一致させ、前記外側表示面側に配置された前記光学フィルタの透過容易軸と前記吸収型偏光板の透過容易軸との方向も一致させ、さらに、前記光吸収部材を吸収型偏光板とし、前記外側表示面側に配置された前記吸収型偏光板の透過容易軸と、前記吸収部材である前記吸収型偏光板の透過容易軸との交差角度をほぼ９０度に配置することを特徴とする請求項３に記載の電子機器。
【発明の詳細な説明】
【０００１】
【発明の属する技術分野】
本発明は電子機器に関するものであり、とくに両面に表示可能な液晶表示装置を備えた電子機器に関するものである。
【０００２】
【従来の技術】
近年のコンピュータは情報処理能力の向上、ＩＣチップの小型化、低消費電力化が進み、サブノート型、ノート型、ブック型と呼ばれる携帯に優れた情報機器や、さらに小型の電子手帳やＰＤＡなどの小型携帯情報機器の製品開発が盛んである。
【０００３】
ノート型においてはキーボードと液晶表示装置が互いに開閉可能に接続されている場合がほとんである。通常は液晶表示装置を開扉し、キーボードにより入力を行うが、最近になってはタッチパネルを補助入力装置として併用している商品も提案されている。
【０００４】
また小型携帯情報機器においては、キーボードレスの構造をとり、タッチパネルですべての操作を行うものが多く、その携帯性と操作性はとくに優れており、機能も多岐にわたり通信機能、ワープロ、表計算、画像表示なども行うことができる商品も提案されている。
【０００５】
このようにノート型や小型携帯情報機器において、ノート型はキーボード主体の入力方法で、小型携帯情報機器ではタッチパネル主体の入力方法により、それぞれの利便性が発揮されている。
【０００６】
ところが、ノート型の構造では、情報を見るだけなどのキーボード操作を必要としない場合でも液晶表示装置を開扉しなければならない。また、タッチパネル専用機の小型携帯情報機器では、文字入力数の多い作業はタッチパネルでは非効率である。
【０００７】
そこで、状況に応じてキーボード操作が可能で、通常はタッチパネル専用機として使用可能な小型携帯情報機器が提案されている。その一つは特開平８−９６６８２号公報に開示されるように、構造的に表示装置を１８０°水平方向に回転させるものがある。しかし、これは構造的に大きくなり小型化ができない。そこで考えられるのが、両面に表示可能な表示装置を用いることである。
【０００８】
従来、表示装置の両面に表示可能な表示手段として、２枚の液晶表示装置を張り合わせる手段が考えられるが、この手段はコスト、厚さ、重量、消費電力がすべて２倍になってしまい実用できない。それ以外では、透過型の液晶表示装のバックライトを取り、両面から透過型として見る手段があるが、裏面の背景と表示が混じってしまい視認しにくく、しかもバックライトがないために充分な透過光が得られず実用できなかった。
【０００９】
そこで、その改善策として、液晶表示装置の開閉に連動して両面表示装置を実現する手段が、たとえば特開平５−１５０２３３号公報に開示されている。
【００１０】
この公報に記載の液晶表示装置では、表示装置の開閉機構と反射板のスライド機構とを連動し、おもて面から視認する場合は、裏面に反射板が移動し、裏面から視認する場合はおもて面に反射板が移動する手段により両面からの視認を実現する。
【００１１】
また、一枚の液晶パネルを透過型として両面からの視認を可能とし、さらに両面にタッチパネルを配置する手段として、たとえば特開平７−２１８８９９号公報が開示されている。さらにその公報の液晶表示装置では、両面に遮光制御板を配置し、背景と表示との混じりを改善する手段を提案している。
【００１２】
それ以外では、発光型表示装置と反射型液晶パネルを用いて、両面からの視認を実現する表示手段として、たとえば特開平８−１８４８２１号公報が開示されている。その公報に記載の液晶表示装置では、発光型表示装置と、一面では反射型として機能し他面では透過型として機能する半透過液晶パネルとを互いに回動可能に接続し、開扉状態では発光型表示装置と半透過型液晶パネルのおもて面の２面で情報を表示し、閉じた状態では、発光型表示装置に半透過型液晶パネルが覆い被さる構造になり、発光型表示装置が反射型液晶パネルのバックライトとして機能し、反射型液晶パネルの裏面に情報を表示することができる。
【００１３】
【発明が解決しようとする課題】
従来技術における両面表示の液晶表示装置では、液晶パネルを２枚張り合わせる手段以外では、透過型液晶パネルを用いる手段があったが、液晶パネルが光の透過と吸収を切り替える光シャッタとして働くために視認側と反対面の背景を液晶パネル越しに見ることになり表示と背景が混じり合い非常に視認しにくい。それを改善するには、液晶表示パネルの視認側と反対側に補助光源か反射機能を有し、しかも両面において機能しなくてはならない。
【００１４】
前述の特開平５−１５０２３３号公報に開示されている手段は、機械的に液晶表示装置の開閉に連動して反射板を視認側と反対に移動するものであるが、重大な課題がある。まず、さらなる小型化が要求される情報装置において、反射板を移動するためのローラを有する構造を内蔵するのは困難である。しかも、情報量の増大にともない液晶表示パネルの表示容量も増大しパネルサイズが大きくなるにつれて反射板の移動量も多くしなければならずローラの径を大きくしたり、ローラを増やす必要がでてきて、情報機器の小型化にさらに反する構造となってしまう。また、実用するにはこの複雑な機構の機械耐久性を上げなくてはならない。
【００１５】
また、前述の特開平７−２１８８９９号公報に開示されている手段では、透過型液晶表示装置の両面にタッチパネルを配置しているが、この構造は視認側と反対面に反射板も配置されていなければ、補助光源も配置されていないので、実際には、表示文字は偏光板に吸収される黒色が得られるが、それ以外の表示状態は反対面の背景が偏光板により半分以下の暗さに見えるだけであり、通常の反射板付の液晶表示装置とは比べものにならない見づらさである。開示内容では、背景と文字が混じると記載されているが、本発明者の実験によれば表示文字が消えてしまい、視認性がわるく、情報機器に適用するには充分でない。
【００１６】
そこで、背景と文字との混じりの問題の対策として、同公報に遮光制御板を液晶パネルの両側に配置し、液晶パネルの表裏で視認側が変わるのに同期して視認側と反対側の遮光制御板を遮光状態に切り替えることにより、表示文字と背景が混じるのを防止する手段が示されている。
【００１７】
ところが、この手段にも重大な問題がある。まず、液晶パネルの両面に、遮光制御板を設けるため、構造が厚くなってしまう。調光ガラスを用いた場合には、液晶パネルの両面に配置するだけで、ガラス４枚以上の厚さが増えてしまう。これも、小型化が要求される情報機器においては重大な問題となる。また、消費電力的にも調光ガラスを常に制御する必要があり、低消費電力化においても問題が残る。
【００１８】
また、遮光制御板に用いている調光ガラスの具体的な機能が記載されていないが、公知の調光ガラスである光の透過、散乱を切り替えるものと光の透過、吸収を切り替えるものを用いた場合のそれぞれにも重大な課題がある。
【００１９】
前者の光の透過散乱を切り替えるものを用いた場合には、視認側と反対側の調光ガラスを散乱状態に切り替え、視認側を透過状態に切り替えればよいが、視認側への充分な反射光を得るには、１００％の前方散乱状態を作る必要がある。紙のように反射率の高い散乱状態を作るには屈折率差の大きい材質で構成することはもちろんのこと数１００μｍの厚さが必要である。したがって、薄型とは反する構造となる。また、後方散乱を用いる場合には比較的薄くできるが、視認側に届く光は反対面の背景の反射光が散乱しただけであり、背景がぼやけて見えるにすぎないので、表示文字との混じりによる視認性はほとんど改善されない。
【００２０】
後者の透過と吸収を切り替える調光ガラスを用いた場合には視認側と反対側の調光ガラスを吸収に切り替え、視認側を透過に切り替えればよいが、視認側からの入射光は、反対側の調光ガラスにより吸収されてしまい視認側に入射光が戻らないのでコントラストが悪いという課題がある。
【００２１】
また、前記の構成と異なり、発光型表示装置と半透過型液晶パネルを用いて、両面からの視認を実現する表示手段が特開平８−１８４８２１号公報に開示されているが、この手段にもおおきな問題がある。その液晶表示装置は、発光型表示装置に覆い被さるように半透過型液晶パネルと発光型表示装置を回動可能に接続している。開扉状態では発光型表示装置と半透過型液晶パネルのおもて面の２面で情報を表示する。閉じた状態では、発光型表示装置に半透過型液晶パネルが覆い被さる構造になり、発光型表示装置が半透過型液晶パネルのバックライトとして機能し、半透過型液晶パネルの裏面から情報を視認する。
【００２２】
開扉状態では、発光型表示装置と半透過型液晶パネルの双方に情報を個別に表示することが可能であり、用途によっては有利であるが、通常のキーボードを有する情報機器においてはキーボードの配置場所がなくなってしまう。また、発光型表示装置は消費電力が多い。
【００２３】
閉じた状態では、発光型表示装置を半透過型液晶パネルのバックライトとして用いる。この場合、明るいところでも視認できるような発光型液晶パネルとして機能するためには、かなりの消費電力が必要となってしまう。また、開扉状態では反射型であり、閉じた状態ではバックライトによる透過型というように、それぞれの表示性能が異なり、使用者は非常に使いにくい。
【００２４】
また、半透過型液晶パネルに用いる光学フィルタで入射光の反射量と透過量の割合を調整することができるが、反射量を増やせば、開扉状態での視認性が向上するが、閉じた状態では透過量が減るためにバックライトの輝度を上げなくてはならない。これは消費電力の増加を意味する。逆に透過量を増やせば、閉じた状態で明るくなりバックライトの光量を下げることができるが、開扉状態での反射率が減り暗く見づらい表示になってしまう。このように開扉状態と閉じた状態の表示性能はトレードオフの関係にあり、両方を実用レベルに設定することはこの構造では困難である。
【００２５】
以上のように、両面から視認可能な液晶表示装置はそれぞれの手段においても実現するには大きな問題を抱えている。したがって、タッチパネルを主入力装置とする小型機器としての使用手段と、キーボードを搭載するノート型のような使用手段の２つの使用手段が可能な情報機器を実現するには課題が多い。
【００２６】
（発明の目的）
本発明は、上述の課題を解決するためになされたもので、従来の片面表示の液晶表示装置の表示性能を維持したままで両面での表示を実現する液晶表示装置をそなえる情報機器により、携帯性と低消費電力を維持したまま情報伝達特性を向上し、しかもキーボードとペンタブレットを備えた構成においてはそれぞれの用途においてもっとも携帯性を発揮する構造を容易にとれることを目的とする。
【００２７】
【課題を解決するための手段】
上記目的を達成するために、本発明の電子機器は一対の基板を有する表示装置を備え、表示装置における内側表示面と外側表示面との両側から視認可能な電子機器であって、表示装置の外側表示面側には、回動可能に配置された光吸収部材が備えられ、内側表示面から視認する際には、光吸収部材は表示装置の外側表示面側に近接して配置し、内側表示面から入射した光の一部が、表示装置を透過して、光吸収部材に吸収され、黒色の表示が行われるように構成されることを特徴とする。また、この光吸収部材は、表示装置の表示面を防護するための防護蓋または防護蓋に配置される部材であることを特徴とする。また、一対の基板の間に液晶を挟持してなる液晶素子の内側表示面側と外側表示面側となる両側に光学フィルタを配置し、前記光学フィルタの外側に吸収型偏光板を配置して構成し、前記光学フィルタは、透過容易軸と平行な振動面は透過し、直交する振動面は反射するシートであり、前記吸収型偏光板は、透過容易軸と平行な振動面は透過し、直交する振動面は吸収するシートであり、前記光学フィルタの透過容易軸と前記吸収型偏光板の透過容易軸はほぼ一致していることを特徴とする。
【００２８】
また、本発明の電子機器は、液晶表示装置を備え、前記液晶表示装置は前記一対の基板の間に液晶を挟持してなる液晶素子の両側の基板に光学フィルタを配置し、前記光学フィルタの外側に吸収型偏光板を配置して構成し、前記光学フィルタは、透過容易軸と平行な振動面は透過し、直交する振動面は反射するシートであり、前記吸収型偏光板は、透過容易軸と平行な振動面は透過し、直交する振動面は吸収するシートであり、前記光学フィルタの透過容易軸と前記吸収型偏光板の透過容易軸とはほぼ一致し、前記液晶表示装置はキーボードを覆うようにキーボードと可動に接続配置することを特徴とする。
【００２９】
また、本発明の電子機器は、前記液晶表示装置において、一方の前記基板と前記光学フィルタの間、または他方の前記基板と前記光学フィルタの間のすくなくとも一方に光散乱部材を備えることを特徴とする。
【００３０】
また、本発明の電子機器は、前記光学フィルタは、透過容易軸と平行な振動面は透過し、直交する振動面は吸収する反射型偏光板であることを特徴とする。
【００３１】
また、本発明の電子機器は、前記光学フィルタは、入射光の一方の円偏光成分を反射し、他方の円偏光成分は透過する円偏光分離シートを１／４波長板で挟持することを特徴とする。
【００３２】
また、本発明の電子機器は、前記液晶素子は、一対の基板間に１８０゜〜２７０゜ツイスト配向しているネマチック液晶を狭持してなるＳＴＮ液晶素子であり、すくなくとも一方のその基板上に位相補償板を配置することを特徴とする。
【００３３】
また、本発明の電子機器は、前記液晶素子は、一対の基板間に約９０°ツイスト配向しているネマチック液晶を狭持してなるＴＮ液晶素子であることを特徴とする。
【００３４】
また、本発明の電子機器は、前記液晶表示装置のすくなくとも一方の上面にペン入力を行うためのペンタブレットを配置することを特徴とする。
【００３５】
また、本発明の電子機器は、前記液晶表示装置の開閉状態を検出するためのスイッチまたはセンサーを有し、そのスイッチまたはそのセンサーの検出結果にしたがって、前記液晶表示装置の表示状態を上下反転または左右反転のすくなくとも一方を反転することを特徴とする。
【００３６】
また、本発明の電子機器は、前記スイッチは、前記液晶表示装置に所定の長さの突起部を配置し、前記液晶表示装置と相対するように前記突起部を受ける突起受け部を配置し、前記突起受け部に押圧式スイッチを配置し、前記液晶表示装置の閉扉時に前記突起部が前記突起受け部の押圧式スイッチを押圧することを特徴とする。
【００３７】
また、本発明の電子機器は、前記センサーは、赤外線センサ、または温度センサ、または傾斜センサであることを特徴とする。
【００３８】
また、本発明の電子機器は、前記液晶表示装置を防護するために防護蓋を有し、前記防護蓋は前記液晶表示装置の外側に液晶表示装置の表示部を覆うように回動可能に配置することを特徴とする。
【００３９】
また、本発明の電子機器は、前記防護蓋は、光吸収部材で構成するか、前記液晶表示装置と近接する側に光吸収部材を配置することを特徴とする。また、光吸収部材は黒色のフィルムまたは吸収型偏光板であることを特徴とする。
【００４０】
また、本発明の電子機器は、前記防護蓋は、前記液晶表示装置と近接する側に吸収型偏光板を配置し、その吸収型偏光板の透過容易軸と、前記液晶表示装置の前記光吸収部材側に配置する吸収型偏光板の透過容易軸とを直交することを特徴とする。
【００４１】
（作用）本発明の電子機器においては、一方の方向から順に吸収型偏光板と、光学フィルタと、液晶素子と、光学フィルタと、吸収型偏光板で構成される。前記光学フィルタは、透過容易軸と平行な振動面は透過し、直交する振動面は反射するシートであり、前記吸収型偏光板は、透過容易軸と平行な振動面は透過し、直交する振動面は吸収するシートである。また、前記光学フィルタの透過容易軸と前記吸収型偏光板の透過容易軸はほぼ一致している。
【００４２】
おもて面から視認する場合は、おもて面からの入射光は吸収型偏光板で一方の振動面は透過し、他方の振動面は吸収され。透過した直線偏光成分は、光学フィルタに入射し、透過容易軸が一致しているため光学フィルタも透過し、液晶素子に入射する。液晶素子を透過した直線偏光成分は、裏面に配置される光学フィルタに入射する。いま、液晶素子に電圧を印加しないオフ状態の時にその液晶素子から出射する直線偏光成分の振動方向と、裏面の光学フィルタの透過容易軸とを、直交するように光学フィルタを配置すれば、入射した直線偏光成分は、光学フィルタで反射する。反射した直線偏光成分は再び液晶素子に戻され表面の光学フィルタと吸収型偏光板を透過し、視認側に戻される。
【００４３】
つぎに、液晶素子に電圧を印加すると液晶素子がオン状態になり、入射した直線偏光成分は約９０°回転し、液晶素子を出射した直線偏光成分は裏面の光学フィルタの透過容易軸と一致するので光学フィルタを透過し、裏面の吸収型偏光板も透過し、裏面に出射する。裏面には反射特性をもつものは配置されないので、視認側から入射した光は裏面に出射し、再び視認側に戻ることはない。
【００４４】
以上のように表から視認する場合は、液晶素子のオンオフにより、視認側からの入射光の反射、無反射を制御できる。つまり、白黒の反射型液晶表示装置として機能する。
【００４５】
また、裏面から視認する場合は、裏面から見た構造が、吸収型偏光板、光学フィルタ、液晶素子、光学フィルタ、吸収型偏光板の順になり表面から視認する場合と同様に液晶素子のオンオフにより、視認側からの入射光の反射、無反射を制御できる。つまり、裏面から見た場合でも白黒の反射型液晶表示装置として機能する。
【００４６】
以上に説明するような両面からの視認において反射型液晶表示装置として機能する液晶表示装置を電子機器の表示装置として用いる。その電子機器の使用者は使用状況により携帯性、操作性に優れるそれぞれの形態を選択できるようになり、電子機器としての実用性が向上する。しかも、液晶素子一枚分の消費電力、薄さ、重量のままで実現できる。
【００４７】
本発明の電子機器においては、一方の方向から順に吸収型偏光板と、光学フィルタと、液晶素子と、光学フィルタと、吸収型偏光板で構成される液晶表示装置をキーボードを覆うように可動に接続配置する構造である。前記光学フィルタは、透過容易軸と平行な振動面は透過し、直交する振動面は反射するシートであり、前記吸収型偏光板は、透過容易軸と平行な振動面は透過し、直交する振動面は吸収するシートである。また、前記光学フィルタの透過容易軸と前記吸収型偏光板の透過容易軸はほぼ一致している。
【００４８】
おもて面から視認する場合は、おもて面からの入射光は吸収型偏光板で一方の振動面は透過し、他方の振動面は吸収され。透過した直線偏光成分は、光学フィルタに入射し、透過容易軸が一致しているため光学フィルタも透過し、液晶素子に入射する。液晶素子を透過した直線偏光成分は、裏面に配置される光学フィルタに入射する。いま、液晶素子に電圧を印加しないオフ状態にその液晶素子を出射した直線偏光成分と、裏面の光学フィルタの透過容易軸とが直交するように光学フィルタを配置すれば、入射した直線偏光成分は、光学フィルタで反射する。反射した直線偏光成分は再び液晶素子に戻され表面の光学フィルタと吸収型偏光板を透過し、視認側に戻される。
【００４９】
つぎに、液晶素子に電圧を印加すると液晶素子がオン状態になり、入射した直線偏光成分は約９０°回転し、液晶素子を出射した直線偏光成分は裏面の光学フィルタの透過容易軸と一致するので光学フィルタを透過し、裏面の吸収型偏光板も透過し、裏面に出射する。
裏面には反射特性をもつものは配置されていないので、視認側から入射した光は裏面に出射し、再び視認側に戻ることはない。
【００５０】
以上のようにおもて面ら視認する場合は、液晶素子のオンオフにより、視認側からの入射光の反射、無反射を制御できる。つまり、白黒の反射型液晶表示装置として機能する。
【００５１】
また、裏面から視認する場合は、裏面から見た構造が、吸収型偏光板、光学フィルタ、液晶素子、光学フィルタ、吸収型偏光板の順になり表面から視認する場合と同様に液晶素子のオンオフにより、視認側からの入射光の反射、無反射を制御できる。つまり、裏面から見た場合でも白黒の反射型液晶表示装置として機能する。
【００５２】
この両面からの視認において反射型液晶表示装置として機能する液晶表示装置を、その液晶表示装置のおもて面がキーボードに覆いかぶさるように回動可能に接続配置する。
【００５３】
液晶表示装置を閉じた状態では、使用者側にはその液晶表示装置のうら面が視認できる。この場合はキーボードは液晶表示装置が閉じているので使用できないが、電子機器に記憶される情報の確認や簡単な操作を行う場合には、もっとも携帯性に優れ、キーボードを使わないのに液晶表示装置を開扉するような手間が必要ないので瞬時に必要な情報を得ることができる。
【００５４】
液晶表示装置を開いた状態では、液晶表示装置とキーボードがお互いに開扉されている。このとき、その液晶表示装置はおもて面がキーボードを覆うように接続されているので、開いた状態で使用者がキーボードを使用できるように電子機器を配置すると、使用者はその液晶表示装置の表面を視認することができる。このとき、その液晶表示装置はおもて面にも情報を表示可能なので、情報を視認しながらキーボードの操作が可能となる。
【００５５】
以上のように、使用者の使用状況により、情報の確認や簡単な操作時は、閉じた状態で携帯性に優れた使用が可能で、キーボードによるの入力を必要とする場合は開いた状態で情報を視認しながら操作することができる。
【００５６】
本発明の電子機器は、一方の前記基板と前記光学フィルタの間、または他方の前記基板と前記光学フィルタの間のすくなくとも一方に光散乱部材を備える。これにより、入射光は視認側と反対側の光学フィルタで反射されて視認側に戻る間にすくなくとも一度光散乱部材を通過する。光散乱部材を通過すると反射光は適度に散乱し、視認側では散乱した白色を示す。光学フィルタの散乱度が小さく鏡面に近い特性を有する場合には、この光散乱部材の挿入がとくに効果的である。
【００５７】
本発明の電子機器は、前記光学フィルタに、透過容易軸と平行な振動面は透過し、直交する振動面は吸収する反射型偏光板をもちいる。反射型偏光板は、入射光の互いに直交する２つの振動面の一方を透過し、他方を反射する特性を示す。これを光学フィルタに用いれば、入射光の直線偏光成分を液晶素子のオンオフで反射と透過を制御できる。しかも、反射型偏光板は両面において透過反射特性があるので、両面の表示が可能となる。
【００５８】
本発明の電子機器は、前記光学フィルタに、入射光の一方の円偏光成分を反射し、他方の円偏光成分は透過する円偏光分離シートを１／４波長板で挟持するシートを用いる。これによって、円偏光分離シートは右円偏光成分と左円偏光成分の一方を反射し、他方を透過する特性を示すが、１／４波長板が両側に配置されているので、光学フィルタに入射する直線偏光成分は円偏光に変換され、円偏光分離シートで反射または透過し、さらに１／４波長板で直線偏光成分に変換される。つまり、円偏光分離シートを１／４波長板で挟持すれば、一方の振動面を透過し、直交する振動面を反射する光学フィルタを構成できる。
【００５９】
本発明の電子機器は、一対の基板間に１８０゜〜２７０゜ツイスト配向しているネマチック液晶を狭持してなるＳＴＮ液晶素子を有し、すくなくとも一方のその基板上に位相補償板を配置する液晶表示装置を備える。これにより、ＳＴＮの光学特性の急峻性を生かし、高コントラストな両面表示が得られる。また、マトリクス表示においては１００分割以上の高分割表示が可能となり、電子機器において、さらに情報量の多い表示が可能となる。
【００６０】
本発明の電子機器では、一対の基板間に約９０°ツイスト配向しているネマチック液晶を狭持してなるＴＮ液晶素子を有する液晶表示装置を備えている。これにより分割数の少ない低マトリクス数の電子機器において、低コストの電子機器を提供できる。
【００６１】
本発明の電子機器は、液晶表示装置のすくなくとも一方の上面にペン入力を行うためのペンタブレットを配置する。これにより、液晶表示装置を閉じた状態で、キーボードを使用しない場合にもペンタブレットにより入力操作が可能となる。また、操作スイッチを別途設置する必要がなくなるので液晶表示装置の表示領域を広く取ることができる。また、液晶表示装置の表面にもペンタブレットを配置すれば、キーボードの使用時においてもペンタブレットを補助入力装置として利用することができ、入力機能の優れた電子機器を提供できる。
【００６２】
本発明の電子機器は、液晶表示装置の開閉状態を検出するためのスイッチまたはセンサーを有し、そのスイッチまたはそのセンサーの検出結果にしたがって、前記液晶表示装置の表示状態を上下反転または左右反転のすくなくとも一方を反転する。これにより内側と裏側の両方において正像を表示することができる。
【００６３】
本発明の電子機器は、前記液晶表示装置に所定の長さの突起部を配置し、前記液晶表示装置と相対するように前記突起部を受ける突起受け部を配置し、前記突起受け部に押圧式スイッチを配置し、前記液晶表示装置の閉扉時に前記突起部が前記突起受け部の押圧式スイッチを押圧する。これにより液晶表示装置の開閉を判別することができ、表示の上下反転または左右反転を的確に行うことができる。
【００６４】
本発明の電子機器は、前記センサーに、赤外線センサ、または温度センサ、または傾斜センサを用いる。これにより、液晶表示装置の開閉を判別することができ、表示の上下反転または左右反転を的確に行うことができる。
【００６５】
本発明の電子機器は、前記液晶表示装置を防護するために防護蓋を有し、前記防護蓋は前記液晶表示装置の外側に液晶表示装置の表示部を覆うように回動可能に配置する。これにより前記液晶表示装置を持ち運び時の損傷から回避するとともに、液晶表示装置の内側からの視認時に防護蓋が遮光するので背景の反射を軽減することができ、視認性を向上することができる。
【００６６】
本発明の電子機器は、前記防護蓋は、光吸収部材で構成するか、前記液晶表示装置と近接する側に光吸収部材を配置する。これにより、液晶表示装置の内側からの入射光は外側の防護蓋に配置される光吸収部材にほとんどが吸収され、黒が沈んだコントラストのよい表示が得られる。
【００６７】
本発明の電子機器は、前記防護蓋は、前記液晶表示装置と近接する側に吸収型偏光板を配置し、その吸収型偏光板の透過容易軸と、前記液晶表示装置の前記光吸収部材側に配置する吸収型偏光板の透過容易軸とを直交する。これにより、液晶表示装置の内側からの入射光のうちの外側に透過する直線偏光成分は防護蓋に配置される吸収型偏光板にほとんどが吸収され、黒が沈んだコントラストのよい表示が得られる。
【００６８】
【発明の実施の形態】
以下図面を用いて本発明を実施するための最良な形態における液晶表示装置の構成と、その構成に基づく動作および作用を説明する。
【００６９】
（第１の参考形態：図１、図２および図３）はじめに第１の参考形態の液晶表示装置の構成を図１と図２を使用して説明する。図１に示すように、吸収型偏光板１と光学フィルタ２と液晶素子３と光学フィルタ２と吸収型偏光板１とを備える。この吸収型偏光板１は、ヨウ素や２色性色素を延伸したフィルムに染色して作製する一般的な偏光板である。この吸収型偏光板１は図２に示すように、透過容易軸１ａ方向に振動する光は透過し、透過容易軸１ａと９０゜回転した方向に振動する光は吸収する。
【００７０】
一方、図１における光学フィルタ２は、図３に示すように、透過容易軸２ａ方向に振動する光は透過し、透過容易軸２ａと９０゜回転した方向に振動する光は反射する。
【００７１】
液晶素子３は、９０゜ツイストのＴＮ（ツイストネマティック）液晶を透明な基板で封止したもので、入射直線偏光成分を９０゜旋光することができる。さらに、基板上に配置する電極に電圧を印加すると液晶分子が起立し入射直線偏光成分は、旋光しないで入射角を維持したまま出射する。つまり、電圧の印加、無印加で入射直線偏光を０゜と９０゜に切り替えることができる。
【００７２】
はじめに、内側表示面Ａから視認する状態について図１を用いて説明する。内側に配置する吸収型偏光板１の透過容易軸１ａと、隣接して配置する光学フィルタ２の透過容易軸２ａが平行であるので、入射光のうちの透過容易軸と平行な成分は透過し、液晶素子に到達する。いま、液晶素子３には電圧を印加しないと、直線偏光成分は９０゜旋光し出射する。出射光は外側の光学フィルタ２に入射する。このとき、光学フィルタ２の透過容易軸２ａは入射する直線偏光成分の振動方向と９０度回転しているので入射光は反射され、視認側に戻される。つまり、内側表示面Ａからの入射光が内側表示面Ａにもどるので、反射型の液晶表示装置における白色の表示状態を得ることができる。
【００７３】
ここで、液晶素子３に電圧を印加すると、直線偏光成分は９０゜旋光することなく、そのまま出射する。出射光は光学フィルタ２に入射する。このとき、光学フィルタ２の透過容易軸２ａは入射する直線偏光成分の振動方向と一致するので入射光は透過し、外側に配置する吸収型偏光板１に入射する。入射直線偏光成分の振動する方向は吸収型偏光板１の透過容易軸１ａと一致するのでこれも透過し、外側Ｂに出射する。外側Ｂの背面には光を反射する部材がないので内側表示面Ａにはもどらない。つまり、内側表示面Ａからの入射光が外側表示面Ｂに出射し、内側表示面Ａにはもどらないので、黒色の表示状態を得ることができる。
【００７４】
つぎに、外側表示面Ｂから視認する状態について説明する。外側表示面Ｂから視認する場合も内側表示面Ａから視認する場合も光の入射位置が反対になるだけで、構造も対象なので同様の作用をする。外側に配置する吸収型偏光板１の透過容易軸１ａと、隣接して配置する光学フィルタ２の透過容易軸２ａが平行であるので、入射光のうちの透過容易軸と平行な成分は透過し、液晶素子に到達する。いま、液晶素子３には電圧を印加しないと、直線偏光成分は９０゜旋光し出射する。出射光は光学フィルタ２に入射する。このとき、光学フィルタ２の透過容易軸２ａは入射する直線偏光成分の振動方向と９０度回転しているので入射光は反射され、視認側に戻される。つまり、外側表示面Ｂからの入射光が外側表示面Ｂにもどるので、反射型の液晶表示装置における白色の表示状態を得ることがで
きる。
【００７５】
ここで、液晶素子３に電圧を印加すると、直線偏光成分は９０゜旋光することなく、そのまま出射する。出射光は光学フィルタ２に入射する。このとき、光学フィルタ２の透過容易軸２ａは入射する直線偏光成分の振動方向と一致するので入射光は透過し、外側に配置する吸収型偏光板１に入射する。入射直線偏光成分の振動する方向は吸収型偏光板１の透過容易軸１ａと一致するのでこれも透過し、内側表示面Ａに出射する。内側表示面Ａの背面には光を反射する部材がないので外側表示面Ｂにもどらない。つまり、外側表示面Ｂからの入射光が内側表示面Ａに出射し、外側表示面Ｂにはもどらないので、黒色の表示状態を得ることができる。
【００７６】
つまり、液晶素子への電圧の印加、無印加により入射光の反射と透過を制御することができる。しかも、内側からの入射光と外側からの入射光に対して同様に作用するため、内側から見ても光の反射と透過を制御でき、外側から見ても光の反射と透過を制御することができる。したがって、内側、外側の両面において白と黒の表示を得ることができる。
【００７７】
さらに、９０゜ツイスト配向のＴＮ液晶素子の代わりに、１８０゜〜２７０゜ツイスト配向のＳＴＮ（スーパーツイストネマチック）液晶素子を用いると、液晶素子の急峻性が改善し、コントラスト特性が改善され、多分割の液晶表示装置が実現できる。
【００７８】
（第２の参考形態：図４，図５、図６）以下図面を用いて第２の参考形態における電子機器の構成と、その構成に基づく動作作用を説明する。
【００７９】
図４は第２の参考形態における電子機器の断面図である。液晶表示装置５とキーボード６を含む本体８とを軸９により、互いに可動に接続する。液晶表示装置５は閉じた状態からすくなくとも９０°以上の開扉が可能となるように軸９の回転範囲を設定する。
【００８０】
液晶表示装置５は、９０°ツイストのＴＮ液晶を挟持した液晶素子３の両側に光学フィルタ２を配置し、さらにその外側に吸収型偏光板１を配置する。この際に外側の吸収型偏光板１の透過容易軸と光学フィルタ２の透過容易軸が一致し、内側の吸収型偏光板１の透過容易軸と光学フィルタ２の透過容易軸が一致している。さらに内側の光学フィルタ２の透過容易軸と外側の光学フィルタの透過容易軸も一致している。この液晶表示装置５を液晶支持枠７で固定する。液晶支持枠７は、表示装置の画面の見切り窓を有し（図示せず）、内側表示面Ａの方向と外側表示面Ｂの方向に液晶画面の表示領域に合わせて開口している。
【００８１】
図５に液晶表示装置５を開いた状態の説明図を示す。液晶表示装置５は本体８と軸９を中心に約１３０°開いて保持している。このとき使用者は内側表示面Ａを視認しながらキーボード６の操作が可能となる。
【００８２】
この状態での液晶表示装置５の表示原理について説明する。液晶表示装置が開いた状態では、内側表示面Ａから視認することになるので、内側に配置する吸収型偏光板１の透過容易軸と、隣接して配置する光学フィルタ２の透過容易軸が平行であるので、入射光のうちの透過容易軸と平行な成分は透過し、液晶素子に到達する。いま、液晶素子３には電圧を印加しないと、直線偏光成分は９０゜旋光し出射する。出射光は光学フィルタ２に入射する。このとき、光学フィルタ２の透過容易軸は入射する直線偏光成分の振動方向と９０°回転しているので入射光は反射され、視認側に戻される。つまり、内側表示面Ａからの入射光が内側表示面Ａにもどるので、反射型の液晶表示装置における白色の表示状態を得ることができる。
【００８３】
ここで、液晶素子３に電圧を印加すると、液晶素子３に入射した直線偏光成分は９０゜旋光することなく、そのまま出射する。出射光は外側に配置する光学フィルタ２に入射する。このとき、光学フィルタ２の透過容易軸は入射する直線偏光成分の振動方向と一致するので入射光は透過し、外側に配置する吸収型偏光板１に入射する。入射する直線偏光成分の振動する方向は吸収型偏光板１の透過容易軸と一致するのでこれも透過し、外側表示面Ｂに出射する。外側表示面Ｂの背面には光を反射する部材がないので内側表示面Ａにもどらない。つまり、内側表示面Ａからの入射光が外側表示面Ｂに出射したまま内側に戻ることはないので、黒色の表示状態を得ることができる。
【００８４】
このように開いた状態において、反射と透過による反射率の差を生じることができ、白と黒の高いコントラスト表示が得られる。しかも、入射直線偏光成分は外側の光学フィルタ２で理論的には１００％反射されるので、非常に明るい白色が得られる。
【００８５】
図６に液晶表示装置５を閉じた状態の説明図を示す。この状態はキーボード６の操作を必要としない場合には携帯性にもっとも優れる構造である。液晶表示装置５は、本体８と軸９を中心に閉じた状態を保持しており、このときに使用者は外側表示面Ｂを視認することが可能となる。キーボードの操作を必要としない場合この状態での液晶表示装置５の表示原理について説明する。
【００８６】
この場合は、外側表示面Ｂから視認することになるので、図５において使用者側からの入射光は、外側に配置する吸収型偏光板１の透過容易軸１ａと平行な成分は透過し、９０°回転する成分は吸収される。透過した直線偏光成分は隣接して配置する光学フィルタ２の透過容易軸２ａと平行であるのでこれも透過し、液晶素子に到達する。いま、液晶素子３には電圧を印加しないと、直線偏光成分は９０゜旋光し出射する。９０°旋光した出射光は内側に配置する光学フィルタ２に入射する。このとき、光学フィルタ２の透過容易軸２ａは入射する直線偏光成分の振動方向と９０°回転しているので入射光は反射され、視認側である外側に戻される。つまり、外側表示面Ｂからの入射光が外側表示面Ｂにもどるので、反射型の液晶表示装置における白色の表示状態を得ることができる。
【００８７】
ここで、液晶素子３に電圧を印加すると、直線偏光成分は９０゜旋光することなく、そのまま出射する。出射光は内側の光学フィルタ２に入射する。このとき、光学フィルタ２の透過容易軸は入射する直線偏光成分の振動方向と一致するので入射光は透過し、外側に配置する吸収型偏光板１に入射する。入射直線偏光成分の振動する方向は吸収型偏光板１の透過容易軸と一致するのでこれも透過し、内側表示面Ａに出射する。出射した直線偏光成分はキーボードに到達するが、キーボードの光反射率が低いので外側Ｂにもどらない。つまり、外側表示面Ｂからの入射光が内側表示面Ａに出射し、キーボード６に吸収されるので、黒色の表示状態を得ることができる。
【００８８】
以上のように本形態では、液晶表示装置５とキーボード６を開いた状態では液晶表示装置５の内側表示面Ａへの表示が可能であり、液晶表示装置５を閉じた状態では外側表示面Ｂへの表示が可能になり、液晶表示装置５の開閉の両状態においての表示が可能である。
【００８９】
（第３の参考形態：図７）以下図面を用いて第３の参考形態における電子機器の構成と、この構成に基づく動作作用を説明する。
【００９０】
図７に本形態における液晶表示装置の構造を示す。内側表示面Ａから順に、吸収型偏光板１、光学フィルタ２、液晶素子３、光散乱部材９０、光学フィルタ２、吸収型偏光板１が配置される。吸収型偏光板１の透過容易軸１ａと光学フィルタ２の透過容易軸２ａは一致するように配置する。また、内側表示面Ａの透過容易軸方向と外側表示面Ｂの透過容易軸方向は一致している。光散乱部材９０以外は前記の実施の形態と同様の構造をとる。
【００９１】
光散乱部材９０はベースフィルムの表面を荒らしたものや、シリカビーズを屈折率のことなる粘着剤に混ぜてベースフィルムに塗布したものなどを使用する。本形態では、シリカビーズを屈折率の異なる粘着剤に混ぜたものを光学フィルタ２に塗布し、液晶素子３と光学フィルタ２との接着剤を兼ねている。
【００９２】
ここで、本形態では、液晶素子３と外側表示面Ｂに配置する光学フィルタ２の間に光散乱部材９０を配置する。光散乱部材９０は内側表示面Ａに配置する光学フィルタ２と液晶素子３の間に配置してもよい。また、液晶素子３の両側に配置してもよい。
【００９３】
つぎに光散乱部材９０の作用について説明する。いま、内側表示面Ａから視認する場合を考える。内側表示面Ａから入射した直線偏光成分は、液晶素子３が電圧無印加の場合には、９０°旋光して光散乱部材９０に入射する。光散乱部材９０は、入射した直線偏光成分を散乱させる。この際に偏光解消がおこるので、光散乱部材９０は偏光解消をできるだけ押さえて散乱度もある程度得られるように設計する。この光散乱部材９０で散乱した直線偏光成分は外側表示面Ｂに配置する光学フィルタ２に入射し、透過容易軸２ａと９０°回転しているので反射され、再び散乱部材９で散乱した後に内側表示面Ａに戻される。このさいに、内側表示面Ａでは入射光が適度に散乱するので、入射光の入射角度に依存しない白色が得られる。
【００９４】
液晶素子３に電圧を印加すると、散乱部材９を透過した直線偏光成分は外側に配置する光学フィルタ２と吸収型偏光板１を透過し、外側に出射するので、内側表示面Ａでは黒色の表示を得ることができる。
【００９５】
以上、内側表示面Ａから視認する場合について説明したが、外側表示面Ｂから視認する場合も同様である。外側表示面Ｂから入射した直線偏光成分は光散乱部材９０で散乱した後に液晶素子３に入射する。光散乱部材９０ではほとんど偏光解消しないので、液晶素子３で９０°旋光し内側の光学フィルタ２に入射し、透過容易軸２ａと９０°回転しているので反射され、再度光散乱部材を通過して外側表示面Ｂに戻される。したがって、外側表示面Ｂから視認する場合でも、入射光が適度に散乱するので、入射光の入射角度に依存しない白色が得られる。黒色の表示も内側表示面Ａから視認する場合と同様に得ることができる。
【００９６】
光散乱部材３を挿入することにより、反射光の散乱度が光散乱部材３で調整できるので、光学フィルタ２の反射特性の選択範囲が広がる。たとえば、鏡面に近い反射特性をもつ材料を光学フィルタに用いた場合には、光散乱部材がないと、鏡面反射してしまう。つまり、鏡を反射板に用いたような表示になってしまう。ところが、光散乱部材３を挿入することにより、適度な散乱光がえられ視認側では、入射光の入射角度に依存しない均一な白表示を得ることができる。市販の材料では、住友３Ｍ社製の商品名ＤＢＥＦを光学フィルタ２に用いることができるが、この商品は反射面が平滑で鏡面反射を有するので、光散乱部材９０を挿入し散乱することにより均一な白表示が得られる。また、住友３Ｍ社製の商品名ＲＤＦ−Ｃは前記の商品名ＤＢＥＦに光散乱部材を兼ねた粘着剤を塗布した構造で、これを光学フィルタ２と光散乱部材９０として用いることができる。この場合には光学フィルタ２と光散乱部材９０の機能を一緒に実現することができるので構造的に簡易である。また、発明者の実験によるとＲＤＥＦ−Ｃ（商品名）は、広い入射角度において良好な偏光特性を示すため、広い視野角での良好な表示が得られた。
【００９７】
（第４の参考形態）
以下、第４の参考形態における電子機器の構成と、この構成に基づく動作作用を説明する。
【００９８】
この電子機器の光学フィルタ２は一方の振動方向の光は透過し、９０°回転する振動方向の光は反射する特性を有するが、実際には反射型偏光板とよばれるものを用いることができる。
【００９９】
市販されている反射型偏光板としては、住友３Ｍ社製の商品名「ＤＢＥＦ」がある。これは、バックライトの輝度向上用として売られている偏光板であるが、発明者の実験によると反射型偏光板としても充分に機能する。
【０１００】
またさらに、散乱材入りの粘着剤を、前述の商品名「ＤＢＥＦ」に塗布した商品で「ＲＤＦ−Ｃ」がある。これも同様に用いることができる。
【０１０１】
それ以外の反射型偏光板としては、グリッド式偏光子やベースフィルムに薄膜を多数層形成した構造によっても実現できる。
【０１０２】
（第５の参考形態）以下、第５の参考形態における電子機器の構成と、この構成に基づく動作作用を説明する。
【０１０３】
この電子機器の光学フィルタ２は一方の振動方向の光は透過し、９０°回転する振動方向の光は反射する特性を有するが、実際には前記光学フィルタに、円偏光分離シートを１／４波長板で挟持するシートを用いることができる。円偏光分離シートは、入射光の一方の回転方向の円偏光成分を反射し、他方の回転方向の円偏光成分は透過する特性をしめす。コレステリック液晶を螺旋状に配向し、ポリマーで固定した物が市販されている。これはたとえば、右円偏光成分を反射すれば、一方の左円偏光成分は透過する特性を示す。円偏光成分のどちらを反射するかは、コレステリック液晶の螺旋の状態で決まる。またコレステリック液晶による円偏光の選択反射は、一般には単波長の選択反射特性を示す。これは、分子の螺旋ピッチで反射光の波長が決まるためである。
【０１０４】
そこで、最近では、いくつかのピッチをもつ層を重ねたり、あるいは分子間ピッチを連続的に可変することにより、波長依存性がない円偏光分離シートが実現されている。つまり、反射光は白色を示している。また、背景色に色を付けたい場合には、逆に短波長の選択反射特性を示す円偏光分離シートを用いれば鮮やかな色の背景色が得られる。
【０１０５】
ここで、円偏光分離シートは右円偏光成分を反射するので、光学フィルタ２に用いるには直線偏光成分を円偏光成分に変換しなくてはならない。そこで、１／４波長板を円偏光分離シートの両側に配置する。これにより、光学フィルタ２に入射する直線偏光成分は円偏光成分に変換され、円偏光分離シートで反射または透過し、さらに１／４波長板で直線偏光成分に変換される。つまり、円偏光分離シートを１／４波長板で挟持すれば、一方の振動面を透過し、直交する振動面を反射する光学フィルタを構成できる。
【０１０６】
（第６の参考形態：図８、図９）以下、第６の参考形態における電子機器の構成と、この構成に基づく動作作用を説明する。
【０１０７】
はじめに本形態における液晶表示装置の構成を、図面を用いて説明する。図８は本形態における液晶表示装置の構成要素を説明するための構成図で、図９は、構成要素の配置関係を示す平面図である。以下、図８と図９とを交互に用いて本構成を説明する。
【０１０８】
第６の参考形態の液晶表示装置は、酸化インジウムスズ（ＩＴＯ）からなる第１の電極（図示せず）が形成されている厚さ０．７ｍｍのガラス板からなる第１の基板（図示せず）と、ＩＴＯからなる第２の電極（図示せず）が形成されている厚さ０．７ｍｍのガラス板からなる第２の基板（図示せず）と、前記一対の基板を張り合わせるシール材と、前記一対の基板に狭持されている２４０゜ツイスト配向しているネマチック液晶とからＳＴＮ液晶素子１５が形成されている。
【０１０９】
第１の電極と第２の電極との表面には配向膜（図示せず）が形成され、第１の基板は、左上がりで水平方向に対して−３０゜方向にラビング処理することによって、上液晶分子配向方向１６ｂは左上がり−３０゜となり、第２の基板は右上がり３０゜方向にラビング処理することで下液晶分子配向方向１６ａは右上がり３０゜となり、左回り２４０゜ツイスト配向のＳＴＮ液晶素子１５を形成している。
【０１１０】
使用するネマチック液晶の複屈折の差Δｎは０．１４８で、第１の基板と第２の基板の隙間であるセルギャップｄは５．４５ｕｍとする。したがって、前記ネマチック液晶の複屈折の差Δｎと前記セルギャップｄとの積で表すＳＴＮ液晶素子１５のΔｎｄ値は、８０７ｎｍである。
【０１１１】
上光学フィルタ１０を透過容易軸１０ａが水平軸に対して１０゜になるように配置し、上光学フィルタ１０の上部に上吸収型偏光板１１を透過容易軸１１ａが水平軸に対して、１０゜になるように配置し、ＳＴＮ液晶素子１５と上光学フィルタ１０の間に、位相差値５８０ｎｍの位相差板１４を、遅相軸１４ａが水平軸に対して５０゜になるように配置する。ＳＴＮ液晶素子１５の下側に、光散乱部材９０を配置し、光散乱部材９０の下部に下光学フィルタ１２を透過容易軸１２ａが水平軸に対して−２０゜になるように配置し、下光学フィルタ１２の下部に下吸収型偏光板１３を透過容易軸１３ａが水平軸に対して−２０゜になるように配置する。
【０１１２】
ＳＴＮ液晶素子１５と位相差板１４は、アクリル系粘着剤（図示せず）を用いて接着してある。上光学フィルタ１０と上吸収型偏光板１１も、アクリル系粘着剤（図示せず）を用いて接着してある。また、下光学フィルタ１２は接着剤を兼ねた光散乱部材９０でＳＴＮ液晶素子１５と接着してある。下吸収型偏光板１３はアクリル系粘着剤（図示せず）を用いて接着してある。
【０１１３】
位相差板１４は視野角特性を改善するため、遅相軸方向の屈折率ｎｘ、Ｙ軸方向の屈折率ｎｙ、厚さ方向の屈折率ｎｚが、ｎｘ＞ｎｚ＞ｎｙとなっている２軸性の位相差板を使用した。ここで位相差板１４は、１軸性の位相差板でもよい。
【０１１４】
上光学フィルタ１０は、透過容易軸方向に振動する光成分は透過し、直交する方向に振動する光成分は反射するシートである。本実施の形態では、住友スリーエム社製の商品名「ＤＢＥＦ」を使用する。このＤＢＥＦは、一般的には、バックライトの輝度上昇用に用いられる製品であるが、本実施の形態のように、反射型偏光板としても、充分機能する。
【０１１５】
また、下光学フィルタ１２と光散乱部材９０は、住友スリーエム社製の商品名「ＲＤＦ−Ｃ」を使用する。ＲＤＦ−Ｃは反射型偏光板に、散乱材入りの粘着剤を塗布した構成で、粘着剤が光散乱部材を兼ねている。また、反射型偏光板の粘着材と反対の面は反射型偏光板の表面のままである。また、商品名「ＲＤＦ−Ｂ」もあるが、これには粘着剤塗布面と反対面に黒色の不透過膜を形成してある。本実施形態では黒色の不透過膜のないＲＤＦ−Ｃを用いる。
【０１１６】
つぎに本形態における液晶表示装置で内側表示面Ａと外側表示面Ｂの両面からの視認においてコントラストの高い表示を行う具体例について説明する。最初に内側表示面Ａから視認する場合について説明する。本発明の液晶表示装置において、内側表示面Ａから視認する場合の電圧無印加の状態においては、上吸収型偏光板１１に入射する透過容易軸１１ａ方向と９０°回転する直線偏光は吸収され、透過容易軸１１ａ方向の直線偏光は上光学フィルタ１０の透過容易軸１０ａに平行に入射する。入射した直線偏光は上光学フィルタ１０を透過し、ＳＴＮ液晶素子１５に入射する。位相差板１４がない場合、ＳＴＮ液晶素子１５を透過した状態で、楕円偏光状態となり、下光学フィルタ１２で完全に反射できず、かつ、複屈折による色が付き、表示が不充分である。
【０１１７】
しかし、位相差板１４を上光学フィルタ１０とＳＴＮ液晶素子１５の間に配置したので、上光学フィルタ１０を通して位相差板１４に入射した直線偏光は、楕円偏光状態となる。その楕円偏光は、ＳＴＮ液晶素子１５を透過する間に補正され、ほぼ直線偏光で、上光学フィルタ１０の透過容易軸１２ａに対して約６０゜回転し、水平に対して７０゜の位置から出射する。
【０１１８】
出射した直線偏光成分は光散乱部材９０により散乱し下光学フィルタ１２に入射する。下光学フィルタ１２の透過容易軸１２ａは水平に対して−２０゜に配置してある。したがって、光散乱材９を透過した直線偏光は、下吸収型偏光板１３の透過容易軸１３ａに対して９０゜回転した方向から入射するので、下光学フィルタ１２で反射し、視認側の内側表示面Ａに戻される。このとき、光散乱部材９０を再度通過することにより、適度に散乱した直線偏光が内側表示面Ａに反射する。したがって、入射光が全て反射し、白色の表示となる。
【０１１９】
つぎにＳＴＮ液晶素子１５に電圧を印加すると、ネマチック液晶の分子が立ち上がり、ＳＴＮ液晶素子１５の複屈折性が変化し、出射する直線偏光が約９０゜回転し、水平に対して−２０゜の方向になる。
【０１２０】
したがって、下光学フィルタ１２の透過容易軸１２ａに対して、平行に入射するので、入射光は下光学フィルタ１２を透過し、さらに下吸収型偏光板１３も透過し、外側表示面Ｂに透過する。透過した直線偏光成分は外側表示面Ｂの方向に反射板がないので、反射されて視認側の内側表示面Ａに戻ることはない。したがって黒色の表示が得られる。
【０１２１】
つぎに、外側表示面Ｂから視認する場合について説明する。内側表示面Ａから視認する場合と光散乱部材９０の通過位置がＳＴＮ液晶素子１５への入射前後で異なることと位相差板１４の位置が異なるだけで、動作は同様である。
【０１２２】
外側表示面Ｂから視認する場合の電圧無印加の状態では、外側表示面Ｂから入射した直線偏光は、上光学フィルタ１０で反射し、視認側の外側表示面Ｂに戻される。このとき、光散乱部材９０を２度通過することにより、適度に散乱した直線偏光が外側表示面Ｂに反射する。したがって、全て反射し、白色の表示となる。
【０１２３】
つぎに電圧を印加すると、ネマチック液晶の分子が立ち上がり、ＳＴＮ液晶素子１５の複屈折性が変化し、出射する直線偏光が約９０゜回転し、入射光は上光学フィルタ１０を透過し、さらに下吸収型偏光板１１も透過し、内側表示面Ａに透過する。透過した直線偏光成分は外側表示面Ｂに戻ることはない。したがって黒色の表示が得られる。
【０１２４】
以上のように、電圧の印加と無印加により白と黒の表示状態を得ることができる。しかも、内側表示面Ａと外側表示面Ｂのどちらからの視認状態においても白と黒の表示が可能である。
【０１２５】
また、液晶素子として、ＳＴＮ液晶素子１５を使用したことで、ネマチック液晶分子の印加電圧に対する変形が急峻になり、光学特性の急峻性がよくなる。そのため、単純マトリクス駆動でも、走査ライン数を１００本〜４００本まで増加することが可能になり、大型液晶表示装置や、高密度液晶表示装置を提供することが可能となる。また、視野角特性も改善する。
【０１２６】
このように、本発明により、内側と外側の両面から視認が可能となり、さらにコントラストの高い表示が得られ、かつ、視野角特性が良好な液晶表示装置を提供できる。
【０１２７】
（第７の参考形態：図１０）以下、第７の参考形態における電子機器の構成と、この構成に基づく動作作用を説明する。
【０１２８】
この形態は、第１の参考形態の変形である。第１の参考形態では、高分割の単純マトリクス駆動でコントラストの高い表示を得る場合に有効であるが、低分割の場合には９０度ツイストのＴＮ液晶素子を用いた方が、製造費や部材費の面で有利である。しかも、２から１６分割程度の範囲では高いコントラストを得ることも可能である。
【０１２９】
図１０に本形態の構造図を示す。ＴＮ液晶素子５１は、９０゜ツイストのＴＮ液晶を透明な基板で封止したもので、入射直線偏光成分を９０゜旋光することができる。さらに、基板上に配置する電極に電圧を印加すると液晶分子が起立し入射直線偏光成分は、旋光しないで入射角を維持したまま出射する。つまり、電圧の印加、無印加で入射直線偏光を０゜と９０゜に切り替えることができる。
【０１３０】
内側表示面Ａ側の光学フィルタ２の透過容易軸２ａは、ＴＮ液晶素子５１の上側の基板のラビング方向と一致する方向に配置する。さらに吸収型偏光板１を透過容易軸１ａが光学フィルタ２の透過容易軸２ａと一致するように配置する。外側表示面Ｂ側についてはＴＮ液晶素子５１の基板のラビング軸と直角に光学フィルタ２の透過容易軸２ａを配置し、吸収型偏光板１を透過容易軸１ａが光学フィルタ２の透過容易軸２ａと一致する方向に配置する。
【０１３１】
本形態では、光学フィルタ２に住友３Ｍ社製のＲＤＥＦ−Ｃ（商品名）を用いた。
【０１３２】
このときに、内側表示面Ａと外側表示面Ｂにおいて良好な白黒表示が得られるのは前記の実施の形態の説明によれば明らかである。本形態を実際に作成したところ、低コストの両面液晶を用いた電子機器が実現できることがわかった。しかも、実験によれば、１６分割程度であれば充分なコントラストが得られ、従来のＴＮ液晶の反射型液晶表示装置以上の表示品質になった。
【０１３３】
（第８の参考形態：図１１、図１２）以下、第８の参考形態における電子機器の構成と、この構成に基づく動作作用を説明する。
【０１３４】
図１１は本形態における電子機器の断面図である。両面表示可能な液晶表示装置５の外側表示面Ｂの面にペンタブレット１８を配置する。ペンタブレット１８は液晶支持枠７の突起と両面テープにより接着固定する。このときの液晶表示装置５とペンタブレット１８の隙間は１．０ｍｍである。
【０１３５】
この形態では、ペンタブレット１８に抵抗膜方式を用いた。抵抗膜方式は、２枚の透明基板上に透明電極を形成し、ペンで押圧したときの双方の透明電極の抵抗の分割比をＡ／Ｄコンバータで検出し、押圧部分の座標を得る方式である。この手段は、ペンには細工が必要ないため専用ペンを必要としないのと画面サイズが小さい場合は精度も良く、低消費電力、低コストであるので、小型の電子機器のほとんどが採用している。
【０１３６】
本形態では、液晶表示装置５の外側表示面にペンタブレット１８を配置したことにより、液晶表示装置５を本体８側に閉じて、キーボード６が使用不能になった場合にもペンタブレット１８による入力操作が可能となる。
【０１３７】
いま、外出先で住所録を見る場合に、図１２に示すように液晶表示装置５を開くことなく、容易にペン１９により検索することができる。また、狭い空間でのメモ書きなどの場合にも図１２にしめす使用形態によりメモ書きを瞬時に行うことができる。
【０１３８】
なお、キーボードによる入力をしたい場合には、図１１に示すように液晶表示装置５を開けば、キーボード６による入力が可能である。
【０１３９】
ペンタブレット１８を配置したことによる、液晶表示装置５の両面表示の性能への影響は、反射光がペンタブレットを通過するので１割程度だけ背景が多少暗くなる以外は、ほとんど影響がない。基本的な両面表示の動作原理はペンタブレット１８を配置したことにより矛盾することはなく、操作性の向上の利点が増えるのみでペンタブレット１８を配置する効果はとくに大きい。
【０１４０】
（第９の参考形態：図１３）以下、第９の参考形態における電子機器の構成と、この構成に基づく動作作用を説明する。
【０１４１】
まず、液晶表示装置５を開いた場合に、「Ｆ」の文字を表示した状態を図１３（ａ）に示す。この場合に使用者は、キーボード６を操作する方向に位置し、液晶表示装置を内側表示面Ａから視認することになる。この状態では、「Ｆ」の文字は正像で見える。
【０１４２】
つぎに、液晶表示装置５をキーボード６にかぶせるように閉じた場合に「Ｆ」の文字を表示した状態を図１３（ｂ）に示す。この場合は、使用者の位置はキーボード６に向かい合う位置にあるとすると、文字「Ｆ」が上下反対の表示になってしまう。
【０１４３】
本形態では、液晶表示装置５の走査方向を切り替えることにより上下反転をおこなう。図１４は本実施の形態のブロック図である。図１４の液晶表示装置５は両面表示が可能で、光学フィルタ２と吸収型偏光板１を両面に配置してある。液晶表示装置５は２枚のガラス基板で構成され、走査駆動ＩＣ２２側のガラス基板には透明電極が水平方向に７本形成してあり（図示せず）。信号駆動ＩＣ２１のガラス基板には透明電極が垂直方向に８本形成してある（図示せず）。
【０１４４】
スイッチ２５は、液晶表示装置５の開閉を検出する機能を有し、液晶表示装置５が閉じた状態を検出し、Ｌロジック電源２６を上下切り替え端子２７に給電する。液晶表示装置５が開いた状態では、スイッチ２５は解放し、プルアップ抵抗２３によりＨロジック電源２４を上下切り替え端子２７に給電する。
【０１４５】
上下切り替え端子２７は走査駆動ＩＣ２２のロジック入力端子で、この端子のロジックレベルのＨ／Ｌにより走査駆動ＩＣ２２の出力端子から出力する電極駆動電圧の走査方向を切り替える機能を有する。上下切り替え端子２７がＨロジックレベルのときに一方から走査を開始し、Ｌロジックレベルのときには反対方向から走査を開始する。一般的に液晶表示装置の走査駆動ＩＣはシフトレジスタ構成になっており、走査の開始データをシフトレジスタの先頭に入力するか、後尾に入力するかを切り替えることにより走査方向の切り替え機能が実現できる。
【０１４６】
つぎに、具体的な表示動作の説明をする。液晶表示装置５は透明基板上に形成される水平方向の透明電極と垂直方向の透明電極によりマトリクスが形成され、それぞれの交点の液晶が一画素として表示に寄与する。図１５は上下切り替え端子２７に入力するロジック電源のＨ／Ｌそれぞれの状態における液晶表示装置５の各画素の表示状態を示しており、内側表示面Ａから視認している図である。図１５（ａ）と（ｂ）においてＨ１からＨ７は走査駆動ＩＣの出力端子で液晶表示装置５の基板上に形成された７本の走査電極にそれぞれ接続される。Ｖ１からＶ８は信号ＩＣの出力端子で液晶表示装置５の基板上に形成された８本の信号電極にそれぞれ接続される。
【０１４７】
図１５（ａ）は、上下切り替え端子２７にＨロジック電源２４が入力されたときの表示状態を示す。上下切り替え端子２７にＨロジック電源２４が入力されるときは図１４においてスイッチ２５が解放状態の時である。このとき液晶表示装置５は図１６（ａ）に示すように開いた状態である。
【０１４８】
このときに走査駆動ＩＣ２２の走査方向は、上下切り替え端子２７がＨロジック電源２４に設定されているので、Ｈ１からＨ７の順番に走査する。したがって、図１６（ａ）に示すように内側表示面Ａから視認すると「Ｆ」の文字は正像で表示される。
【０１４９】
つぎに、図１５（ｂ）に、上下切り替え端子２７にＬロジック電源２６が入力されたときの表示状態を示す。上下切り替え端子２７にＬロジック電源２６が入力されるときは図１４においてスイッチ２５が押圧されたときである。このとき液晶表示装置５は図１６（ｂ）に示すように閉じた状態である。
【０１５０】
このときに走査駆動ＩＣ２２の走査方向は、上下切り替え端子２７がＬロジック電源２６の設定されているので、Ｈ７からＨ１の順番に走査する。したがって、図１６（ｂ）に示すように外側表示面Ｂから視認しても、「Ｆ」の文字は正像で表示される。
【０１５１】
以上のように、外側表示面Ｂから視認する場合にスイッチ２５で検出し、走査駆動ＩＣ２２の走査方向を上下反転することにより画像を上下反転し、内側表示面Ａでの正像表示を外側表示面Ｂから視認しても、正像に表示することが可能となる。
【０１５２】
本形態の液晶表示装置５は、説明の容易さから走査電極が７本で信号電極が８本で構成したが、走査電極の本数と信号電極の本数は、何本で構成してもよい。たとえば、走査電極が２４０本であっても同様の効果が得られる。
【０１５３】
また、本形態では、上下に反転すると表裏の両方で正像が表示できるので走査方向を反転したが、たとえば、左右反転しないと正像が得られない場合には、信号駆動ＩＣ２１のデータ信号の転送を左右反転すればよい。通常は信号駆動ＩＣの機能として左右の転送方向をロジック電源で選択できる機能は有するので問題ない。
さらに上下反転と左右反転を組み合わせて正像を得ることもできるので、あらゆる方向においても回路的に正像を表示できる。
【０１５４】
また、本形態では、駆動ＩＣで表示画像の反転を行ったが、走査方向を反転せずに、表示する画像自体の反転画像を液晶表示装置５に表示してもよい。しかしながら、この手段は、電子機器本体で画像を反転する必要があり電子機器のＣＰＵなどに負担がかかる。本実施の形態の方が、簡単に正像を得ることができる。
【０１５５】
（第１０の参考形態：図１７）以下、第１０の参考形態における電子機器の構成とこの構成に基づく動作作用を説明する。
【０１５６】
前述の形態に示すように液晶表示装置５を開いた状態で内側表示面Ａを視認する場合と閉じた状態で外側表示面Ｂを視認する場合において、使用者がキーボード６に正面に位置する場合には、表示画像を上下反転する必要がある。先の形態においてはその手法として、走査駆動ＩＣ２２の走査方向を反転する手段を示した。その際に上下反転するタイミングを示す手段として、スイッチ２５を用いた。本形態ではスイッチ２５の具体的な構成と効果を説明する。
【０１５７】
図１７に本形態の構成を示す。液晶表示装置５は本体８と軸９を中心に回動可能に接続する。図１７は、液晶表示装置５を開いた状態を示しており、使用者はキーボード６に向かって内側表示面Ａを視認する。液晶表示装置５には、所定の長さの突起部３０を配置する。本体８には、突起部３０を受ける位置に突起受け部３１を配置する。突起受け部３１の内部には、押圧式スイッチ３２を配置する。押圧式スイッチ３２は２端子で構成され、通常の押圧されない状態では、２端子間は解放状態を維持し、押圧された場合には２端子間が短絡する構造である。
【０１５８】
突起受け部３１は、液晶表示装置５を閉じたときに突起部３０と一致する位置に配置してある。また、突起受け部３１内に配置する押圧式スイッチ３２は、液晶表示装置５の閉扉時に突起部３０が押圧式スイッチ３２を押圧する位置に配置する。
【０１５９】
ここで、押圧式スイッチ３２の電気接続について図１４を用いて説明する。押圧式スイッチ３２は図１４のスイッチ２５に対応し、一方の端子をＬロジック電源２６に接続し、他方の端子をプルアップ抵抗２３でＨロジック電源２４に吊って走査駆動ＩＣ２２の上下切り替え端子２７に接続する。
【０１６０】
つぎに、動作の説明を行う。まず、液晶表示装置５が開いた状態では、突起部３０は突起受け部３１から遠ざかり、押圧式スイッチ３２は、押圧されないので押圧式スイッチ３２の出力はＨロジック電源２４になる。
【０１６１】
つぎに、液晶表示装置５が閉じていくと、まず突起部３０は突起受け部３１に一致する。さらに閉じると、突起部３０は突起受け部３１内に配置する押圧式スイッチ３２を押圧する。押圧式スイッチ３２が押圧されると押圧式スイッチ３２の出力はＬロジック電源２４になる。
【０１６２】
以上のように本形態によれば、液晶表示装置５の開閉状態を検出することができる。さらに押圧式スイッチ３２の出力を走査電極駆動ＩＣの制御信号として用いることができる。
【０１６３】
（第１１の参考形態：図１８、図１９）以下、第１１の参考形態における電子機器の構成とその構成に基づく動作作用を、図１８と図１９を用いて説明する。
【０１６４】
前述の形態に示すように液晶表示装置５を開いた状態で内側表示面Ａを視認する場合と閉じた状態で外側表示面Ｂを視認する場合において、使用者がキーボード６に正面に位置する場合には、表示画像を上下反転する必要がある。第１０の参考形態では上下反転するタイミングを示す手段として、スイッチ２５に押圧式スイッチを用いる手段を提案した。さきのように機械的に検出する手段は動作の安定性に優れているが機械的な摩耗が発生する。そこで、本形態では電気的な手段により液晶表示装置５の開閉状態を検出する手段を示す。
【０１６５】
図１８に本形態の構成を示す。液晶表示装置５は本体８と軸９を中心に回動可能に接続する。図１８は、液晶表示装置５を開いた状態を示しており、使用者はキーボード６に向かって内側表示面Ａを視認する。液晶表示装置５に赤外ライトエミッションダイオード（以下、赤外ＬＥＤ）で構成される発光部３４を表示面と垂直な方向に発光する位置に取り付ける。本体８には、受光窓３５を配置し、受光窓３５の下部に受光部３６を配置する。受光部３６はフォトトランジスタで構成され、赤外光の受光によりコレクタ−エミッタ間の電流が増加する特性をもつ。
【０１６６】
受光窓３５と受光部３６は液晶表示装置５を閉じたときに発光部３４と一致する位置に配置してある。
【０１６７】
ここで、発光部３４と受光部３６との電気接続について図１９を用いて説明する。本実施の形態では図１４のスイッチ２５に対応するように接続する。受光部３６のエミッタ端子をＬロジック電源２６に接続し、コレクタ端子をプルアップ抵抗２３を介してＨロジック電源２４に接続し、コレクタ端子を走査駆動ＩＣ２２の上下切り替え端子２７に接続する。また、発光部３４は完結的に発光させる。この電源はとくに限定することはないが、赤外ＬＥＤの発光に充分必要な電流値が必要である。
【０１６８】
つぎに、動作の説明を行う。まず、液晶表示装置５が開いた状態では、発光部３４は受光窓３５と９０°以上の角度に保持されるので、受光部３６には赤外光が入射しないので、コレクタ−エミッタ間の抵抗は高く上下切り替え端子２７にはＨロジック電源２４が出力される。
【０１６９】
つぎに、液晶表示装置５が閉じていくと、発光部３４から出射する赤外光の一部が受光部３６に入射するようになる。さらに閉じていくと発光部３４の赤外光のほとんどが受光部３６に入射するようになる。この状態での受光部３６はコレクタ−エミッタ間の抵抗値は最小になり出力はＬロジック電源２４になる。したがって上下切り替え端子２７にはＬロジック電源２４を出力する。
【０１７０】
以上のように本形態によれば、光学センサをもちいて液晶表示装置５の開閉状態を検出することができる。本実施の形態は電気的な手段によるので、機械的な摩耗や破損による誤動作がなくなる。
【０１７１】
また、本形態では、赤外ＬＥＤを用いたが、受光部３６の検出波長域が発光部３４の発光波長を含んでいれば、赤外でなくてもよい。たとえば、可視光赤色ＬＥＤを用いることもできる。この場合は、本体の電源インジケータと発光部３４とを兼ねることができ、開閉の検出用にさらに発光部３４を設ける必要がないので、部品を減らすことができ、さらに消費電力も減らすことができる。
【０１７２】
また、この形態では、光センサを用いたが、ほかのセンサを用いてもよい。たとえば、傾斜センサを用いても、液晶表示装置５の開閉を検出することができる。また、温度センサ、とくにサーモパイルなどでも実現できる。
【０１７３】
（第１２の実施の形態：図２０、図２１、図２２）以下、本発明を実施するための第１２の実施の形態における電子機器の構成とその構成に基づく動作作用を、図２０を用いて説明する。
【０１７４】
図２０は本実施の形態の構成図である。図２０において本体８はキーボード６と一体に形成する。液晶表示装置５と本体８とは、互いに回動可能に軸９により接続する。つぎに本実施の形態では、防護蓋４０を液晶表示装置５の外側表示面Ｂ側に配置する。防護蓋４０は軸９により液晶表示装置５と回動可能に接続し、さらに本体８と回動可能に接続する。本体８と液晶表示装置５と防護蓋４０をすべて閉じた状態では携帯性に優れた構造を取ることができ、さらに防護蓋４０が液晶表示装置５の外側表示面Ｂを保護するため外部からの衝撃による破損を防ぐ効果がある。
【０１７５】
図２１は、使用者が内側表示面Ａから視認する場合の説明図である。使用者は、液晶表示装置５と防護蓋４０が共に閉じた状態から、液晶表示装置５を開扉する。この際に、防護蓋４０は液晶表示装置５の外側表示面Ｂ側に固定されたまま同時に開扉する。この状態が図２１である。この場合に、液晶表示装置５の外側には防護蓋４０が配置されるので、使用者と反対側からは液晶表示装置５を視認することはできない。したがって、机上などで使用する際に、相対する位置に居る人に住所録や、電話帳などの表示を見られることがない。
【０１７６】
図２２は、使用者が外側表示面Ｂから視認する場合の説明図である。使用者は、液晶表示装置５と防護蓋４０が共に閉じた状態から、防護蓋４０のみを開扉する。この状態が図２２である。この場合に防護蓋４０は、本体８の裏側に約３６０度回転するので、液晶表示装置５の視認の障害にはならない。また、携帯性においても、本体８の裏側に畳むことができるので優れている。
【０１７７】
（第１３の実施の形態：図２３）以下、本発明を実施するための第１３の実施の形態における電子機器の構成とその構成に基づく動作作用を、図２３を用いて説明する。
【０１７８】
本実施の形態は、第１の実施の形態と第１２の実施の形態の改良である。第１の実施の形態では、液晶表示素子３に電圧を印加すると、入射光は液晶表示装置５を透過し反対面に出射し、そこには反射層が配置されていないために視認側に反射して戻ることはないので、電圧を印加した部分が黒表示になる。この手段でも充分なコントラストが得られるが、たとえば使用者と反対面から強い光が入射する場合にはコントラストが多少低下してしまう。そこで本実施の形態では、液晶表示装置５を透過した光を、反対面に吸収層を配置することにより積極的に吸収することを目的とする。さらに第１２の実施の形態に有るように防護蓋とこの吸収層を兼ねる構造をとり、防護蓋の機能も有することを目的とする。
【０１７９】
図２３は本実施の形態の説明図である。図２３において、本体８はキーボード６と一体に形成する。液晶表示装置５と本体８とは、互いに回動可能に軸９により接続する。つぎに本実施の形態では、防護蓋４０を液晶表示装置５の外側表示面Ｂ側に配置する。防護蓋４０は軸９により液晶表示装置５と回動可能に接続し、本体８とも回動可能に接続する。さらに、防護蓋４０の液晶表示装置５側に光吸収部材４１を配置する。光吸収部材４１は本実施の形態では黒色に染色したＰＥＴフィルムを用いる。光吸収部材４１は防護蓋４０と透明接着剤で接着する。
【０１８０】
本体８と液晶表示装置５と防護蓋４０をすべて閉じた状態では携帯性に優れた構造を取ることができ、さらに防護蓋４０が液晶表示装置５の外側表示面Ｂを保護するため外部からの衝撃による破損を防ぐ効果がある。
【０１８１】
図２４に使用者が内側表示面Ａから視認する場合の説明図を示す。使用者は、液晶表示装置５と防護蓋４０が共に閉じた状態から、液晶表示装置５を開扉する。この際に、防護蓋４０は液晶表示装置５の外側表示面Ｂ側に固定されたまま同時に開扉する。この状態が図２４である。この場合に、液晶表示装置５の外側には防護蓋４０が配置され、さらに液晶表示装置５との間に光吸収部材４１が配置される。このとき使用者の視認側から入射した光は、液晶表示装置５の背景は液晶表示装置５の裏面に配置する光学フィルタで反射し使用者に戻り白色を表示し、文字部分は液晶表示装置５の裏面に配置する光学フィルタを透過し、防護蓋４０に配置する光吸収部材４１に吸収され黒色を表示する。このように、光吸収部材４１で透過した光を積極的に吸収することにより、黒がさらに黒くなり、コントラストが格段に向上する。さらに、液晶表示装置５の使用者と反対から強い光が入射するような環境でも防護蓋４０により遮光できるため、液晶表示装置５のコントラストが向上する。
【０１８２】
また、本実施の形態では、黒色のＰＥＴフィルムを用いたが防護蓋４０をもともと黒色の樹脂で形成してもよい。また、防護蓋４０を黒色に塗装しても同様の効果が得られることは明らかである。また、光吸収部材は可視域の全波長を吸収する必要はなく、ある特定の波長を吸収するものを用いれば、反射光は色づいた物になり、色文字が表示できる。
【０１８３】
以上のように本実施の形態によれば外光に左右されずにつねに高コントラストな表示が実現でき、防護蓋４０を備えるために対衝撃性も向上する電子機器を提供することができる。
【０１８４】
（第１４の実施の形態：図２５、図２６）以下、本発明を実施するための第１４の実施の形態における電子機器の構成とその構成に基づく動作作用を、図２５および図２６を用いて説明する。
【０１８５】
この第１４の実施の形態は、第１３の実施の形態の変形である。第１３の実施の形態では光吸収部材として黒色のＰＥＴフィルムを用いたが、液晶表示装置５からの透過光は直線偏光した光であるので吸収型の偏光板を用いても同様の効果が得られる。図２５に本実施の形態の構成図を示す。図２５において、本体８はキーボード６と一体に形成する。液晶表示装置５と本体８とは、互いに回動可能に軸９により接続する。つぎに本実施の形態では、防護蓋４０を液晶表示装置５の外側表示面Ｂ側に配置する。防護蓋４０は軸９により液晶表示装置５と回動可能に接続し、本体８とも回動可能に接続する。さらに、防護蓋４０の液晶表示装置５側に吸収型偏光板４２を配置する。吸収型偏光板４２と防護蓋４０は比較的透明な接着剤で接着する。
【０１８６】
本体８と液晶表示装置５と防護蓋４０をすべて閉じた状態では携帯性に優れた構造を取ることができ、さらに防護蓋４０が液晶表示装置５の外側表示面Ｂを保護するため外部からの衝撃による破損を防ぐ効果がある。
【０１８７】
図２６に防護蓋４０に接着する吸収型偏光板４２と液晶表示装置５の配置図を示す。液晶表示装置５を背景白のノーマリ白に設定する場合は、前述の実施の形態により、上吸収型偏光板の透過容易軸４３と下吸収型偏光板の透過容易軸４４は一致している。このとき、防護蓋４０に接着する吸収型偏光板４５の透過容易軸４６は隣接する下吸収型偏光板の透過容易軸４４とほぼ９０度になる角度に配置する。
【０１８８】
つぎにこのときの動作について説明する。液晶表示装置５を内側表示面Ａから視認する場合には、液晶に電圧を印加した文字の部分は視認側から入射した光は上吸収型偏光板４３を透過し、液晶層をそのまま透過し下吸収型偏光板の透過容易軸４４を透過する。この透過した直線偏光成分は、防護蓋４０に接着配置した吸収型偏光板４３の透過容易軸と直交しているので吸収型偏光板４３に吸収され、内側表示面Ａに戻らない。したがって、文字部分は沈んだ黒表示になる。
【０１８９】
このように偏光板により吸収されて沈んだ黒表示が可能となり、コントラストの高い表示が可能となる。しかも、防護蓋４０と一体成形にしたことにより内側表示面Ａから視認する場合には、吸収型偏光板を配置する作業を必要とせず、防護蓋４０の開閉と一体での操作により実現できるところも利点である。
【０１９０】
【発明の効果】
以上の説明から明らかなように、本発明によれば、吸収型偏光板と、光学フィルタと、液晶素子と、光学フィルと、吸収型偏光板の構造をとる液晶表示装置を備えることで、両面で黒と白を高コントラストで表示し視野角特性が良好な電子機器を提供することができる。
【図面の簡単な説明】
【図１】  本発明の第１の参考形態における液晶表示装置の構成を示す図面である。
【図２】  本発明の第１の参考形態に用いる吸収型偏光板の説明のための図面である。
【図３】  本発明の第１の参考形態に用いる光学フィルタの説明のための図面である。
【図４】  本発明の第２の参考形態における電子機器の構成を示す図面である。
【図５】  本発明の第２の参考形態における電子機器の説明のための図面である。
【図６】  本発明の第２の参考形態における電子機器の説明のための図面である。
【図７】  本発明の第３の参考形態における液晶表示装置の構成を示す図面である。
【図８】  本発明の第６の参考形態における液晶表示装置の構成を示す図面である。
【図９】  本発明の第６の参考形態における液晶表示装置の配置を示す図面である。
【図１０】  本発明の第７の参考形態における液晶表示装置の構成を示す図面である。
【図１１】  本発明の第８の参考形態における電子機器の構成を示す断面図である。
【図１２】  本発明の第８の参考形態における電子機器の説明のための図面である。
【図１３】  本発明の第９の参考形態における電子機器の説明のための図面である。
【図１４】  本発明の第９の参考形態における電子機器の構成を示すブロック図である。
【図１５】  本発明の第９の参考形態における表示状態を説明するための説明のための図面である。
【図１６】  本発明の第９の参考形態における電子機器の説明のための図面である。
【図１７】  本発明の第１０の参考形態における電子機器の構成を示す図面である。
【図１８】  本発明の第１１の参考形態における電子機器の構成を示す図面である。
【図１９】  本発明の第１１の参考形態における電子機器の構成を示す回路ブロック図である。
【図２０】  本発明の第１２の実施形態における電子機器の構成を示す図面である。
【図２１】  本発明の第１２の実施形態における電子機器の説明のための図面である。
【図２２】  本発明の第１２の実施形態における電子機器の説明のための図面である。
【図２３】  本発明の第１３の実施形態における電子機器の構成を示す図面である。
【図２４】  本発明の第１３の実施形態における電子機器の説明のための図面である。
【図２５】  本発明の第１４の実施形態における電子機器の構成を示す図面である。
【図２６】  本発明の第１４の実施形態における電子機器の配置を示す図面である。
【符号の説明】
１  吸収型偏光板
１ａ  吸収型偏光板の透過容易軸
２  光学フィルタ
２ａ  光学フィルタの透過容易軸
３  液晶素子
５  液晶表示装置
６  キーボード
７  液晶支持枠
８  本体
９  軸
１０  上光学フィルタ
１０ａ  上光学フィルタ透過容易軸
１１  上吸収型偏光板
１１ａ  上吸収型偏光板透過容易軸
１２  下光学フィルタ
１２ａ  下光学フィルタ透過容易軸
１３  下吸収型偏光板
１３ａ  下吸収型偏光板透過容易軸
１４  位相差板
１４ａ  位相差板の遅相軸
１５  ＳＴＮ液晶素子
１６ａ  下液晶分子配向方向
１６ｂ  上液晶分子配向方向
１８  ペンタブレット
１９  ペン
２１  信号駆動ＩＣ
２２  走査駆動ＩＣ
２３  プルアップ抵抗
２４  Ｈロジック電源
２５  スイッチ
２６  Ｌロジック電源
２７  上下切り替え端子
３０  突起部
３１  突起受け部
３２  押圧式スイッチ
３４  発光部
３５  受光窓
３７  出力
４０  防護蓋
４１  光吸収部材
４２  吸収型偏光板
４３  上吸収型偏光板の透過容易軸
４４  下吸収型偏光板の透過容易軸
４６  吸収型偏光板の透過容易軸
９０  光散乱部材
【図１】
0004056618.tif 000002
【図２】
0004056618.tif 000003
【図３】
0004056618.tif 000004
【図４】
0004056618.tif 000005
【図５】
0004056618.tif 000006
【図６】
0004056618.tif 000007
【図７】
0004056618.tif 000008
【図８】
0004056618.tif 000009
【図９】
0004056618.tif 000010
【図１０】
0004056618.tif 000011
【図１１】
0004056618.tif 000012
【図１２】
0004056618.tif 000013
【図１３】
0004056618.tif 000014
【図１４】
0004056618.tif 000015
【図１５】
0004056618.tif 000016
【図１６】
0004056618.tif 000017
【図１７】
0004056618.tif 000018
【図１８】
0004056618.tif 000019
【図１９】
0004056618.tif 000020
【図２０】
0004056618.tif 000021
【図２１】
0004056618.tif 000022
【図２２】
0004056618.tif 000023
【図２３】
0004056618.tif 000024
【図２４】
0004056618.tif 000025
【図２５】
0004056618.tif 000026
【図２６】
0004056618.tif 000027